(57)【要約】【課題】  パチンコ球の払い出しに関連する機構および部材を一括して取付ける。【解決手段】  球払い出し機構が収容されたカウンタケース７３と、球タンク内から送り出されたパチンコ球をカウンタケース７３内へ誘導する上誘導体７１と、払い出し球通路８０Ｂおよび球抜き用通路８１Ｂが隣接して形成されて振り分け部材９０が支持された下誘導体８４と、この下誘導体８４に重ね合わされた制御回路基板９３とをベース体７０に取外し可能に組付け、ベース体７０をこのベース体７０を覆蓋する蓋体１００とともに本体部Ｈに組込む。【選択図】図１
2005152672.tif 000002
【特許請求の範囲】
【請求項１】
縦長状に形成されて本体部に設置される合成樹脂製のベース体には、回転体の回転動作によって規定個数のパチンコ球を払い出す球払い出し機構が収容されたカウンタケースと、球タンク内から送り出されたパチンコ球を誘導して前記カウンタケース内へ送り込む上誘導体と、前記カウンタケース内から放出されたパチンコ球を払い出し球として球受皿に向けて誘導する払い出し球通路および前記カウンタケース内から放出されたパチンコ球をパチンコ機外へ誘導する球抜き用通路が隣接して形成され、前記カウンタケース内から放出されたパチンコ球を前記払い出し球通路若しくは前記球抜き用通路へ振り分ける振り分け部材が支持された下誘導体と、この下誘導体に重ね合わされた球払い出し制御用の制御回路基板とをそれぞれ取外し可能に組付けるとともに、前記ベース体にはこのベース体をその全長にわたって覆蓋する合成樹脂製の蓋体を分離可能に結合したことを特徴とするパチンコ機における球処理ユニット。
【発明の詳細な説明】
【技術分野】
【０００１】
この発明はパチンコ機において、遊技者に払い出されるパチンコ球の処理を統括して行う払い出し球処理ユニットに関する。
【背景技術】
【０００２】
従来のパチンコ機では賞品球、抜き取り球を誘導する部材や、賞品球を払い出す機構や、賞品球払い出し用の回路基板等の賞品球の処理に関連する機構および部材を本体枠に個別に取付けていた。
【発明の開示】
【発明が解決しようとする課題】
【０００３】
本発明は賞品球の処理に関連する機構および部材の組付け、修理、点検を簡便化することを課題とするものである。
【課題を解決するための手段】
【０００４】
本発明のパチンコ機における払い出し球処理ユニットは、縦長状に形成されて本体部に設置される合成樹脂製のベース体には、回転体の回転動作によって規定個数のパチンコ球を払い出す球払い出し機構が収容されたカウンタケースと、球タンク内から送り出されたパチンコ球を誘導して前記カウンタケース内へ送り込む上誘導体と、前記カウンタケース内から放出されたパチンコ球を払い出し球として球受皿に向けて誘導する払い出し球通路および前記カウンタケース内から放出されたパチンコ球をパチンコ機外へ誘導する球抜き用通路が隣接して形成され、前記カウンタケース内から放出されたパチンコ球を前記払い出し球通路若しくは前記球抜き用通路へ振り分ける振り分け部材が支持された下誘導体と、この下誘導体に重ね合わされた球払い出し制御用の制御回路基板とをそれぞれ取外し可能に組付けるとともに、前記ベース体にはこのベース体をその全長にわたって覆蓋する合成樹脂製の蓋体を分離可能に結合した構成を有する。
【０００５】
球払い出し機構が収容されたカウンタケースと、球タンク内から送り出されたパチンコ球を前記カウンタケース内へ誘導する上誘導体と、払い出し球通路および球抜き用通路が隣接して形成されて振り分け部材が支持された下誘導体と、この下誘導体に重ね合わされた制御回路基板とをそれぞれベース体に取外し可能に組付け、前記ベース体を、このベース体がその全長にわたって蓋体によって覆蓋された状態で本体部に組込む。
【発明の効果】
【０００６】
本発明は前記したように構成してあるので、パチンコ球を払い出す機構、パチンコ球を球払い出し機構へ誘導する部材、球払い出し機構から放出されたパチンコ球を球受皿および機外へ誘導する部材や振り分ける振り分け部材、球払い出し制御用の制御回路基板等を一括して所定位置に装着することができ、パチンコ球の払い出しに関連する機構および部材の組付け、修理、点検、保守等の各作業を簡便化および能率化することができる。
【発明を実施するための最良の形態】
【０００７】
次に、本発明がカード式パチンコ機について具体化された実施の形態を図面にしたがって説明する。
【実施例１】
【０００８】
カード発行機で購入したゲーム専用のカードを使用して所望個数のパチンコ球と交換し、交換したパチンコ球によってゲームを行うカード式パチンコ機において、パチンコ機の本体部Ｈの一側方に隣設されたカードユニット部１０２にはカード挿入口１１０ａを有し、カードに記録された金額データを読み取るカードリーダ１１０が組込まれている。
【０００９】
カードリーダ１１０は持ち球数・金額換算部と金額データ・持ち球数データ記録部とを有し、カードユニット部１０２内に組込まれたカード情報処理基板１５５に接続されている。
【００１０】
カード情報処理基板１５５にはカードユニット部１０２の使用が可能な場合に点灯し、異常発生時に点滅するカードユニット利用可能ランプ１５３と、カードがカードリーダ１１０のカード挿入口１１ａに挿入されている間点灯し、カード取出し時に点滅するカード挿入中ランプ１５４と、端数表示スイッチとが接続されている。
【００１１】
パチンコ機の本体部Ｈの外枠１は木材で方形枠状に形成され、この外枠１の前面には木質合板で額縁状に形成されて外枠１の一側縁の上下端部に前方への回動可能に軸着され、外枠１の前面を開閉する前枠２が施錠可能に取付けられている。前枠２の前面には窓枠３が前枠２の開口縁に沿って取着され、この窓枠３にはガラスが嵌装されたガラス扉枠４と、このガラス扉枠４の下方に隣設された下方板５とがそれぞれ前方へ回動可能に軸着されている。下方板５の裏面には球供給機構が組付けられるとともに、下方板５の前面には払い出されたパチンコ球を受容する上球受皿６が取着され、この上球受皿６には球抜きレバー６ａが付設され、また、球入口６ｂが開口されている。
【００１２】
前枠２の下端部前面には上球受皿６上にパチンコ球が充満したときにパチンコ球を受容する下球受皿７が取着され、この下球受皿７には球抜きレバー７ａが付設されている。前枠２の下端部の反回動支点側端部には遊技者によって回動操作される操作部を有する操作ハンドル８が取付けられている。
【００１３】
下方板５の後面上端にはカードユニット部１０２のカード情報処理基板１５５にコネクタを介して接続されたカードユニット中継基板１０６が取付けられている。
【００１４】
カードユニット中継基板１０６には下方板５の前面の上端に取付けられた横長状の表示プレート１０５に押ボタンが挿通されて持ち球を借り出すときに遊技者によって操作される球貸しスイッチ１０７と、表示プレート１０５に押ボタンが挿通されてカード返却時に遊技者によって操作される返却スイッチ１０８とが接続されている。
【００１５】
球貸しスイッチ１０７を１回押すと、球貸し単位設定手段によって変更可能に設定される金額分（１００円、３００円、５００円）の持ち球が上球受皿６上へ貸し出されてカードに記録された金額が減算され、球貸しスイッチ１０７を押す毎に持ち球が追加されてカードに記録された金額がテレホンカード状に減算される。
【００１６】
返却スイッチ１０８を押すと、カードがカードリーダ１１０のカード挿入口１１０ａから取出されてゲームが終了する。
【００１７】
カードユニット中継基板１０６にはカードに記録された金額や使用後の残高を３桁表示する７セグメントのカード情報表示ＬＥＤ１１２〜１１２が接続されている。カードユニット部１０２の端数表示スイッチを押すと、カード情報表示ＬＥＤ１１２は下２桁の端数その他を表示する。
【００１８】
カードユニット中継基板１０６には球貸しが可能な場合に点灯し、払い出し中は消灯する球貸し可表示ＬＥＤ１０９が接続されている。表示プレート１０５にはカード情報表示ＬＥＤ１１２の照射光を拡散させて透過させる第１レンズ部１０５ａと、球貸し可表示ＬＥＤ１０９の照射光を拡散させて透過させる第２レンズ部１０５ｂとが形成されている。
【００１９】
前枠２の前面には合成樹脂製のランプケース９が取着され、このランプケース９にはそれぞれ半透明の合成樹脂製で端部が丸められたほぼ半円筒状に形成されたランプカバー１０がビス着されている。
【００２０】
前枠２の裏面下端部の反回動支点側端部には発射機構用の取付ベース１２が取着され、この取付ベース１２の一端部にはこの取付ベース１２の後方に垂立されたモータ取付板１３がビス着されている。モータ取付板１３の裏面には発射モータ１４が取付けられ、この発射モータ１４の出力軸１４ａには発射カム１６が嵌着されている。
【００２１】
取付ベース１２には打球ハンマ１７が左右方向への傾動可能に軸支されるとともに、打球ハンマ１７には発射カム１６に弾接されたカムフォロア１７ａとこのカムフォロア１７ａの内方に配設された掛止ローラ１７ｂとがそれぞれ回転可能に軸支されている。取付ベース１２の内端部付近に貫設された横長状のガイド孔１２ａ内には操作ハンドル８に連繋された掛止部材１８が横方向へのスライド可能に貫挿され、この掛止部材１８と掛止ローラ１７ｂとには打球ハンマ１７がパチンコ球を打出すときの発射力を設定するコイルばね１９が掛架されるとともに、取付ベース１２の内端部には掛止部材１８を位置決めする調整レバー２０が傾動操作可能にピン着されている。モータ取付板１３の下端に形成されたケース１３ａ内には発射装置制御基板２１が装入されている。
【００２２】
取付ベース１２にはパチンコ球を単発発射するときに操作される発射装置停止スイッチ３４と、操作ハンドル８の回動操作によってＯＮ，ＯＦＦされるハンドルスイッチ１５１とが取付けられるとともに、発射装置制御基板２１には遊技者が操作ハンドル８に触れたときにＯＮとなるタッチスイッチ２１ａが接続されている。発射モータ１４、発射装置停止スイッチ３４、ハンドルスイッチ１５にそれぞれ結線されたリード線はコネクタを介して発射装置制御基板２１にそれぞれ接続されている。
【００２３】
操作ハンドル８を回動操作すると、ハンドルスイッチがＯＮとなって発射モータ１４が１分間に１００回転以内の速度で回転して打球ハンマ１７が反復傾動し、打球ハンマ１７の傾動毎にパチンコ球が発射される。
【００２４】
前枠２の裏面には不透明の合成樹脂材で正面形状が逆凹字形状に形成された上枠部２２ａと、この上枠部２２ａの下端に突合わせ状に連接されて半透明の合成樹脂材で形成された下枠部２２ｂとに分割されて外枠１内に装入された基枠２２が取付けられ、この基枠２２の上枠部２２ａおよび下枠部２２ｂはそれぞれビス２３で前枠２の後面に締着されている。基枠２２の後部には後方へ突出された段部２５が４周にわたって形成され、この段部２５内には遊技盤２４が後方への取出し可能に嵌込まれている。遊技盤２４の後方にはパチンコ機の諸機能をコントロールするメイン制御基板４８が設置されている。
【００２５】
基枠２２の段部２５の上端後面の中央部付近と、段部２５の操作ハンドル８側の縦枠部の上端部および下部と、段部２５の下部の中央付近とにはそれぞれ段部２５の内壁面２５ａの内外へ出没される掛止部２６ａと、指で回動操作される操作部２６ｂとを有する締め具２６が段部２５の後面と締め具２６の基部との間にゴムブッシュ２６ｃを介座させた状態でそれぞれねじ４４によってこのねじ４４の回りの回動操作可能に取付けられている。基枠２２が外枠１内に装入された状態では掛止部２６ａが段部２５の内壁面２５ａの内方へ突出する方向への締め具２６の回動操作が不能となる。
【００２６】
基枠２２の上枠部２２ａの上部に突出形成されたランプ基板取付部２７の後側には図６に示すように横長状のランプ基板２８と、このランプ基板２８を覆蓋するカバー板４７とがビス着され、このランプ基板２８にはそれぞれランプ基板２８のプリント回路に接続された当り表示灯２９が取付けられるとともに、ランプ基板２８にはランプ基板２８のプリント回路に接続されたガラス扉枠開放表示灯３０が取付けられている。各表示灯２９，３０は前枠２の上部２ａにそれぞれ貫挿されてランプカバー１０で覆蔽されている。
【００２７】
基枠２２の下枠部２２ｂの反操作ハンドル８側端部付近には角筒状の上皿口４２が形成されるとともに、基枠２２の下枠部２２ｂの中央部付近下端には下皿口４３が開口され、また、下枠部２２ｂの中央部付近の後面には下皿口４３に連通された箱形状の球受箱４９と、入賞時に効果音等を発生するスピーカ４６とが取付けられている。
【００２８】
基枠２２の段部２５の下端には下枠部２２ｂに配線されたリード線を基枠２２の幅方向の一端部から他端部にわたって挿通するために断面形状がコ形状で長手方向の中央部付近が曲折されたリード線挿通溝１４８が基枠２２のほぼ全幅にわたって凹設されている。基枠２２の下枠部２２ｂの操作ハンドル８側端部付近にはガラス扉枠４の開放を検出するガラス扉枠開放検出スイッチ３２が取付けられ、このガラス扉枠開放スイッチ３２の押ボタン３２ａはガラス扉枠４の閉止時にはガラス扉枠４によって押圧され、ガラス扉枠４が開放されたときには解放されてガラス扉枠開放検出スイッチ３２の検出信号でガラス扉枠開放表示灯３０が点灯する。スイッチ取付部３１の下方には複数個のコネクタ１４７ａを備えた中継基板１４７が取付けられている。この中継基板１４７には発射装置制御基板２１にコネクタを介して接続されたリード線およびガラス扉枠開放検出スイッチ３２に結線されたリード線がそれぞれコネクタ１４７ａを介して接続されている。
【００２９】
基枠２２の下枠部２２ｂの前面下部には合成樹脂製で発射レール用の第１セット基板３７が取付けられ、この第１セット基板３７の前面には斜め方向へ配列された３つの取付ボス３７ａが突設されるとともに、第１セット基板３７の中央部付近および外端部の下端には前記遊技球供給機構に連繋された下搖動レバー３８と、この下搖動レバー３８に連繋された上搖動レバーとがそれぞれ搖動可能に軸支され、さらに、第１セット基板３７の外端部の上部にはパチンコ球供給機構から供給されたパチンコ球を受止める球止め片３９がビス着されている。
【００３０】
第１セット基板３７の前面には上面の縦断面形状が扁平Ｖ形状で上面の側面形状がサイクロイド曲線状に若干湾曲されたレール部４０ａと、このレール部４０ａの前後端縁の中央部および内外端部にそれぞれ連接されて下方へ突出された前後３対の取付片４０ｃ，４０ｂとを有する発射レール４０が各取付ボス３７ａを介して位置決めされて傾斜状に取付けられている。発射レール４０の後側の各取付片４０ｂには取付ボス３７ａが貫挿された後孔４５Ｂが貫設され、前側の各取付片４０ｃは取付ボス３７ａの前端面にそれぞれ当接され、この前側の各取付片４０ｃには後孔４５Ｂより小径の前孔４５Ａが貫設されている。
【００３１】
発射レール４０は中央部の前側取付片４０ｃの前孔４５Ａを貫通して中央部の取付ボス３７ａに螺嵌された取付ねじ４１によって第１セット基板３７に取着されるとともに、第１セット基板３７は両端部の前側取付片４０ｃ、および、両端の取付ボス３７ａを貫通してそれぞれ下枠部２２ｂにねじ止めされた取付ねじ４１によって発射レール４０とともに下枠部２２ｂに組付けられ、発射レール４０の基端は球止め片３９の斜め下方に配設され、発射レール４０の先端は遊技盤２４のレール２４ａの基端部に対置されている。
【００３２】
基枠２２の後側には中央部に開口部５０ａが開口された合成樹脂製のセット枠５０が取外し可能に組付けられている。このセット枠５０は基枠２２の段部２５の反操作ハンドル８側縦枠部に取着されて通し孔を有するヒンジヒメール５１Ａと、縦枠部５０ｂの外側面に取着されてヒンジヒメール５１Ａの通し孔内に上方への脱出可能に嵌挿されたピンを有する上下１対のヒンジメール５１Ｂとを介して基枠２２に後方への回動可能に支持されている。セット枠５０の端縁部には各締め具２６の掛止部２６ａにそれぞれ掛脱される掛合部５２が各締め具２６に対向してそれぞれ形成され、セット枠５０は各掛合部５２が各締め具２６で掛止されてセット枠５０と基枠２２との間に遊技盤２４を挟持した状態で各締め具２６によって基枠２２に解放可能に押止されている。
【００３３】
セット枠５０の上横板５０ｃの裏面にはパチンコ球を貯留するための方形箱形状の球タンク５５が上方への取外し可能に取付けられ、この球タンク５５の底板５５ａは外方へ下傾した傾斜状に形成され、この底板５５ａの外端には球出口５５ｂが開口されている。
【００３４】
セット枠５０の上横板５０ｃの後面には球タンク５５の球出口５５ｂの下方に配設されて球供給機構および球切れ検出機構が装着された第２セツト基板６５が間隙を隔てて取付けられている。この第２セット基板６５の前面の中央部付近にはほぼ扇形状の基部５６ａと、内方へ延出されたレール部５６ｂと、レール部５６ｂの内端に連接されて下方へ延出された円弧状のシャッタ部５６ｃとを有し、上下方向への搖動可能に軸支されたタンクレール５６が取付けられている。このタンクレール５６はスプリング６２によってレール部５６ｂが上方へ搖動する方向へ付勢されている。
【００３５】
タンクレール５６の基部５６ａに上端部が連結されて垂下された連結片５７の下端部には前記上搖動レバーに下端部が繋止された連結ロッド５４の上端部が繋止されている。
【００３６】
タンクレール５６の基部５６ａの後面にはタンクレール５６の搖動支点を中心とする円弧曲線上に隣接して配設されて異色（緑色と赤色）に着色された円形の第１定常マーク５８Ａおよび第１作動マーク５８Ｂが表示されている。所定数以上のパチンコ球がタンクレール５６のレール部５６ｂ上に積載されている場合にはレール部５６ｂがスプリング６２に抗して下方へ搖動し、レール部５６ｂ上のパチンコ球が不足すると、レール部５６ｂがスプリング６２の弾発力で上方へ搖動する。
【００３７】
第２セット基板６５の前面外端には前後方向へ密接状態で配列された３つの球切れ検出スイッチ５９がスイッチ基板５９ａを介して取付けられるとともに、第２セット基板６５の前面の外端付近には各球切れ検出スイッチ５９に対向して垂下された押え部６０ａと、タンクレール５６の基部５６ａに向って下傾状に延出された検出部６０ｂとを有し、内外方向への搖動可能に軸支されたスイッチ押え６０が取付けられている。
【００３８】
パチンコ球がタンクレール５６上に積載された正常状態ではスイッチ押え６０が外方へ搖動して各球切れ検出スイッチ５９の触動片５９ｂが押圧され、タンクレール５６上に貯留球が欠乏した異常状態ではスイッチ押え６０が内方へ搖動して各球切れ検出スイッチ５９の触動片５９ｂが解放される。
【００３９】
スイッチ押え６０の検出部６０ｂの下端に突設された突片６０ｃの後面にはスイッチ押え６０の搖動支点を中心とする円弧曲線上に隣接して配設されて異色（緑色と赤色）に着色された円形の第２定常マーク６１Ａおよび第２作動マーク６１Ｂが表示されている。
【００４０】
第２セット基板６５の外端付近の下部には第１定常マーク５８Ａ、第１作動マーク５８Ｂ、および、第２定常マーク６１Ａ、第２作動マーク６１Ｂにそれぞれ対向して丸孔状の透視窓６５ａ，６５ｂが開設されている。
【００４１】
タンクレール５６のレール部５６ｂが下方へ搖動した正常状態では緑色の第１定常マーク５８Ａが透視窓６５ａを通じて透視され、レール部５６ｂが上方へ搖動した異常状態では赤色の第１作動マーク５８Ｂが透視窓６５ａを通じて透視され、タンクレール５６上の貯留球の不足の有無を第１定常マーク５８Ａ、第１作動マーク５８Ｂによって判別することができる。
【００４２】
スイッチ押え６０が外方へ搖動した正常状態では緑色の第２定常マーク６１Ａが透視窓６５ｂを通じて透視され、球タンク５５内の貯留球が欠乏してスイッチ押え６０が内方へ搖動し、各球切れ検出スイッチ５９の触動片５９ａが解放された異常状態では赤色の第２作動マーク６１Ｂが透視窓６５ｂを通じて透視され、貯留球の欠乏の有無を第２定常マーク６１Ａ、第２作動マーク６１Ｂによって判別することができる。
【００４３】
セット枠５０の上横板５０ｃの後面には基端が第２セット基板６５の内端に結合されて反球タンク５５側へ下傾する球レール６３が傾斜状に取付けられ、この球レール６３内にはその幅方向の中央部に長手方向に沿って立設された隔壁６３ａによって仕切られた前後の球通路が並設されている。セット枠５０の上横板５０ｃには球レール６３の長手方向の中央部の上方に左右方向への搖動可能に垂下された前後１対の球ならし振子６４がビス着されている。セット枠５０の上横板５０ｃには球レール６３の下面に添設された下片と、後面に添設された後片とを有するスイッチホルダ６７が取外し可能で取付け位置の変更可能に取付けられ、このスイッチホルダ６７の下片上には球レール６３内のパチンコ球の欠乏を検出する補給切れ検出スイッチ９９が設置されている。
【００４４】
セット枠５０の回動支点側の縦枠板５０ｂの後面には払い出し球の処理に関連する機構および部材が組込まれた払い出し球処理ユニットＵが縦枠板５０ｂのほぼ全長にわたって脱着可能に装着されている。
【００４５】
払い出し球処理ユニットＵのベース体７０は半透明の合成樹脂材によって縦長で後方開放のほぼ方形箱形状に形成され、その前端に垂立された前板７０ａの四周縁には壁板７０ｆが連設され、内側壁板７０ｆの上端には球レール６３上を転動してベース体７０内へ送り込まれるパチンコ球が通り抜ける球入口７０ｈが開口されている。
【００４６】
ベース体７０の前板７０ａの後面の上端には球入口７０ｈを通り抜けたパチンコ球を斜め下方へ誘導してから下方へ誘導する合成樹脂製の上誘導体７１がビスによって取外し可能に取付けられている。
【００４７】
上誘導体７１はほぼ逆Ｌ形状に曲折され、ベース体７０の前板７０ａ側に配設された前部材７１ａと、この前部材７１ａの後側に重ね合わされた後部材７１ｂとによって形成され、ベース体７０の前板７０ａと前部材７１ａとの間、および、前部材７１ａと後部材７１ｂとの間には隔壁によって仕切られて上部が先下り状で下部が垂直状となった前後１対の球通路７２がほぼ逆Ｌ形状に曲折形成されている。球レール６３上を転動したパチンコ球は上誘導体７１内へ横方向から送り込まれて両球通路７２を通って下方へ放出される。
【００４８】
ベース体７０の前板７０ａの上部には上誘導体７１の下方に隣設された中空直方体状のカウンタケース７３がビスによって取外し可能に取付けられている。カウンタケース７３はベース体７０に固定されたベース７３ａと、このベース７３ａに結合された箱体７３ｂとによって形成されている。
【００４９】
カウンタケース７３には両球通路７２に連通されて上誘導体７１内から送り出されたパチンコ球が上方から下方へ通り抜ける前後１対の内部通路７４が貫通状に形成され、この両内部通路７４の途中にはカウンタケース７３内に封入されてパルスモータ７５の出力軸に結合されかつ６個の歯部７６ａと６個の谷部７６ｂとが周方向へ等間隔で交互に配列された回転体７６が、その一部が両内部通路７４内へ突入した状態で設置されている。パルスモータ７５が起動されて回転体７６が回転すると、回転体７６の歯部７６ａが１歯送られる毎に回転体７６の上方で両内部通路７４内および両球通路７２内で縦２列に配列されたパチンコ球が例えば１５個／１秒の速度で下方へ放出される。
【００５０】
カウンタケース７３内には回転体７６の回転を阻止若しくは許容する払い出し制御用ソレノイド７７が回転体７６に対向して設置され、この払い出し制御用ソレノイド７７の作動片７７ａは消磁時には回転体７６の各歯部７６ａのうちの１つの歯部７６ａに対接されて回転体７６の回転を阻止し、払い出し制御用ソレノイド７７が励磁されると回転体７６の歯部７６ａが作動片７７ａから解放されて回転体７６の回転動作が許容される。
【００５１】
カウンタケース７３内には両内部通路７４の上部付近にホルダ８２によって支持されて回転体７６の上方で両内部通路７４内の上部でのパチンコ球の有無を検出する前後１対の球切れ確認センサ７８が設置されている。
【００５２】
カウンタケース７３内には両内部通路７４の下部付近にホルダ８２によって支持されて両内部通路７４を通り抜けるパチンコ球を回転体７６の下方で検出する前後１対の球計数センサ７９が設置され、両球切れ確認センサ７８および両球計数センサ７９はカウンタケース７３内に装入されて回路基板８５に接続固定されている。
【００５３】
ベース体７０の前板７０ａの後面にはその上下方向の中央部付近でカウンタケース７３の下方に配設されて上端縁が前側内部通路７４の出口の斜め下方に配設され下部が内方へ下傾した内壁７０ｂと、この内壁７０ｂの中央部付近および下部と並行に形成された隔壁７０ｃと、上端縁が前側内部通路７４の出口から放出されたパチンコ球を通過させる間隙を隔てて内壁７０ｂの上端縁の外方に配設され、下端縁が隔壁７０ｃの上端縁の外方に配設された上外壁７０ｄと、隔壁７０ｃの下方に配設されて上部が隔壁７０ｃの下部と並行に形成された下外壁７０ｅとが連接されている。
【００５４】
内壁７０ｂの中央部付近および下部と隔壁７０ｃとの間にはカウンタケース７３の前側内部通路７４から放出されたパチンコ球を払い出し球として上球受皿６へ向けて誘導する前払い出し球通路８０Ａが形成され、隔壁７０ｃとベース体７０の外側壁板との間、隔壁７０ｃと下外壁７０ｅとの間、下外壁７０ｅとベース体７０の内側壁板との間には前側内部通路７４から放出されたパチンコ球をパチンコ機外へ誘導する前球抜き用通路８１Ａが前払い出し球通路８０Ａに隣接して形成されている。
【００５５】
ベース体７０にはこのベース体７０の中央部付近および下部に重ね合わされてカウンタケース７３の下方に隣設された合成樹脂製の下誘導体８４がビスによって取外し可能に取付けられている。
【００５６】
下誘導体８４のベース板８４ａはベース体７０の前板７０ａの中央部付近および下部に全長にわたって添設され、下誘導体８４にはベース体７０の内壁７０ｂに全長にわたって突合わせ状に対置された内壁８４ｂと、隔壁７０ｃに全長にわたって突合わせ状に対置された隔壁８４ｃと、上外壁７０ｄに全長にわたって突合わせ状に対置された上外壁８４ｄと、下外壁７０ｅに全長にわたって突合わせ状に対置された下外壁８４ｅとが突出形成されている。
【００５７】
内壁８４ｂの中央部付近および下部と隔壁７０ｃとの間にはカウンタケース８４の後側内部通路７４から放出されたパチンコ球を払い出し球（貸し出し球および賞品球）として上球受皿６へ向けて誘導する後払い出し球通路８０Ｂが形成され、隔壁８４ｃとベース体７０の外側壁板との間、隔壁８４ｃと下外壁８４ｅとの間、下外壁８４ｅとベース体７０の内側壁板との間には後側内部通路７４から放出されたパチンコ球をパチンコ機外へ誘導する後球抜き用通路８１Ｂが後払い出し球通路８０Ａに隣接して形成されている。ベース体７０の前払い出し球通路８０Ａおよび球抜き用通路８１Ａと、下誘導体８４の後払い出し球通路８０Ｂおよび球抜き用通路８１Ｂとの間には仕切り板８３が挟み込まれている。
【００５８】
ベース体７０の前板７０ａの中央部付近には球抜き検出スイッチ８６が取付けられるとともに、前板７０ａの中央部付近に球抜き検出スイッチ８６に対向して回動可能に軸支された球抜き作動部材８７には上方へ突出されて球抜き検出スイッチ８６の触動片に接離する上片８７ａと、内方へ突出された内片８７ｂと、外方へ突出された外片８７ｃとが形成され、上片８７ａの後面には突片８７ｄが突設されている。
【００５９】
ベース体７０の前板７０ａの中央部付近に球抜き作動部材８７に対向して上下動操作可能に支持された操作片８８には球抜き作動部材８７側へ突出された突片８８ａが形成され、操作片８８を上動操作したときには球抜き作動部材８７が回動して球抜き検出スイッチ８６の触動片８６ａが球抜き作動部材８７の上片８７ａによって押圧され、球抜き検出スイッチ８６がＯＮとなる。
【００６０】
ベース体７０の中央部付近には球抜き検出スイッチ８６の下方に配設された規制片８９が球抜き作動部材８７に対向して内外方向への搖動可能に軸支され、規制片８９が外方へ搖動したときには球抜き作動部材８７の内片８７ｂが規制片８９に当接して球抜き作動部材８７の回動動作が阻止され、規制片８９が内方へ搖動したときには球抜き作動部材８７の回動動作が許容される。
【００６１】
ベース体７０の内壁７０ｂの上部および下誘導体８４の内壁８４ｂの上部と、ベース体７０の上外壁７０ｄおよび下誘導体８４の上外壁８４ｄとの間にはベース体７０の隔壁７０ｃの上端縁および下誘導体８４の隔壁８４ｃの上端縁の斜め上方に配設されてカウンタケース７３の両内部流路７４から放出されたパチンコ球を前後払い出し球通路８０Ａ，８０Ｂ若しくは前後球抜き用通路８１Ａ，８１Ｂに振り分ける振り分け部材９０が内外方向への搖動動作可能に軸支されている。
【００６２】
振り分け部材９０は前片９０ａと後片９０ｂとが共動可能に結合されて形成され、前片９０ａには球抜き作動部材８７の突片８７ｄが嵌挿されて球抜き作動部材８７と振り分け部材９０とを共同搖動動作可能に結合する結合部９０ｃが形成されている。
【００６３】
下誘導体８４にはスプリングで上方へ付勢された作動軸９１ａを有する球抜きソレノイド９１が振り分け部材９０に対向して取付けられ、作動軸９１ａの下端には繋止片９１ｂが固定されている。
【００６４】
球抜きソレノイド９１の繋止片９１ｂには上端が球抜き作動部材８７の内片８７ｂに繋止されて球抜きソレノイド９１の作動軸９１ａと球抜き作動部材８７とを連動可能に結合する伝動ワイヤ９２の下端が繋止されている。
【００６５】
球抜きソレノイド９１が消磁された状態では伝動ワイヤ９２は作動軸９１ａとともに上動位置に保持されて球抜き作動部材８７は上片８７ａが外方へ回動した状態で保持され、振り分け部材９０は外方へ搖動して前後球抜き用通路８１Ａ，８１Ｂの入口が遮断されかつ前後払い出し球通路８０Ａ，８０Ｂの入口が開放された状態で保持される。
【００６６】
球抜きソレノイド９１が励磁されると、伝動ワイヤ９２が作動軸９１ａとともに下動して球抜き作動部材８７の上片８７ａが内方へ回動し、球抜き検出スイッチ８６がＯＮになって払い出し制御用ソレノイド７７が励磁されるとともに、振り分け部材９０が内方へ振動し、前後払い出し球通路８０Ａ，８０Ｂの入口が遮断されかつ前後球抜き用通路８１Ａ，８１Ｂの入口が開放され、カウンタケース７３内から放出されたパチンコ球は前後球抜き用通路８１Ａ，８１Ｂへ導入される。
【００６７】
下誘導体８４のベース板８４ａの下端にはパチンコ機の電源を投入したときに起動される賞品球払い出しモータ１１５が前向き状に取付けられ、この賞品球払出しモータ１１５の出力軸１１５ａには１２０°の回転対称位置に配設された３つの球送り片１１６ａを有する球切りカム１１６がベース体７０の前板７ａの下端に開口されたセーフ球導入口１１８およびセーフ球送出口１１９に対向して嵌着されている。セーフ球導入口１１８は遊技盤２４の入賞口へ落入して遊技盤２４の後側から下方へ転落したセーフ球を誘導するためにセット枠５０の下横板５０ｄの下端に形成されたセーフ球誘導樋の先端に対置されている。
【００６８】
ベース体７０の前板７０ａの下端にはセーフ球送出口１１９の若干上方に配設された放出作動片１２０が回動可能に軸支され、この放出作動片１２０の下部には球切りカム１１６の若干前方でセーフ球導入口１１８の内方に隣設された係合部１２０ａが突出形成されるとともに、放出作動片１２０の内端部に突設された内突片１２０ｂには上端が規制片８９に繋止された伝動ワイヤ１２１の下端が連動可能に繋止され、さらに、放出作動片１２０の上端には上突片１２０ｃが形成されている。
【００６９】
ベース体７０の前板７０ａの下部後面に垂直状に組付けられたスイッチ基板１２２には入賞時にパルスモータ７５および回転体７６を回転させる信号および払い出し制御ソレノイド７７を作動させる信号を出力する２つの賞品球払出し検出スイッチ１２３が取付けられている。
【００７０】
ベース体７０の前板７０ａの下部に両賞品球払出し検出スイッチ１２３に対向して垂下状態で内外方向への搖動可能に軸支されてスプリング１２５で賞品球払出し検出スイッチ１２３側へ付勢されたスイッチ作動レバー１２４の中央部付近には両賞品球払出し検出スイッチ１２３の各触動片１２３ａに弾接された押動部１２４ａが突出形成されるとともに、スイッチ作動レバー１２４の下端には内端部が放出作動片１２０の上突片１２０ｃに繋止された連結ロッド１２６の外端部が連動可能に繋止されている。
【００７１】
パチンコ球が遊技盤２４の入賞口へ入球してセーフ球導入口１１８を通過すると、このセーフ球が定常回転中の球切りカム１１６の球送り片１１６ａで受止められるとともに、放出作動片１２０の係合部１２０ａと係合し、放出作動片１２０が球切りカム１１６の球送り片１１６ａとともに円弧移動するセーフ球によって球切りカム１１６の回転方向と反対方向へ回動する。放出作動片１２０が回動すると、伝動ワイヤ１２１が上動し、規制片８９が搖動して球抜き作動部材８７の回動が禁止されるとともに、スイッチ作動レバ１２４が外方へ搖動し、賞品球払出し検出スイッチ１２３がＯＮとなって払出し信号を発信し、パルスモータ７５および払い出し制御ソレノイド７７に作動信号が送られる。球切りカム１１６の球送り片１１６ａで受止められて放出作動片１２０とともに円弧移動したセーフ球が球切りカム１１６および放出作動片１２０から解放されてセーフ球送出口１１９を通じて送出されると、放出作動片１２０が解放されてスプリング１２５の弾発力で元の姿勢に復帰回動し、伝動ワイヤ１２１が下動して規制片８９が復帰搖動し、賞品球払出し検出スイッチ１２３がＯＦＦとなって払出し動作の検出を中止する。
【００７２】
下誘導体８４にはベース板８４ａの後側に重ね合わされた方形皿形状の合成樹脂製の基板受けケース１０３がビスによって取外し可能に取付けられ、この基板受けケース１０３の周壁部の後端縁には段部１０３ａが全周にわたって形成されている。
【００７３】
基板受けケース１０３にはこの基板受けケース１０３の段部１０３ａに嵌め込まれた状態で下誘導体８４の後側に重ね合わされてパチンコ球の払い出し、球抜き、入賞等の各種情報を記憶、演算して処理するＣＰＵ，ＲＡＭ，ＲＯＭが組込まれた制御回路基板９３がビスによって取外し可能に取付けられている。
【００７４】
制御回路基板９３には図２２に示すように払い出し球数を演算する払い出し球数演算部と、球貸しスイッチ１０７の操作によって貸し出した貸し球数を演算する球貸し数演算部と、セーフ球カウンタ９８Ａ，９８Ｂ，９８Ｃが接続されてセーフ球の種別を検出するセーフ球検出センサ９６Ａ，９６Ｂ，９６Ｃの検出信号に基づいてセーフ球数、賞品球数を演算する第１〜第３賞品球演算部とが組込まれている。
【００７５】
カードリーダ１１０のカード挿入口１１０ａにカードを挿入して球貸しスイッチ１０７を操作すると、パルスモータ７５が起動されかつ払い出し制御用ソレノイド７７が作動して回転体７６が回転し、所望個数の使用球がカウンタケース７３内から放出されて上球受皿６上へ払い出され、球貸しスイッチ１０７の繰り返し操作により更に所望個数の使用球が上球受皿６上へ供給される。また、セーフ球検出センサ９６Ａ，９６Ｂ，９６Ｃが入賞の発生を検出すると、パルスモータ７５が起動されかつ払い出し制御用ソレノイド７７が作動して相当数の賞品球がカウンタケース７３内から放出されて上球受皿６上へ払い出される。このとき、セーフ球検出センサ９６Ａ，９６Ｂ，９６Ｃおよびセーフ球カウンタ９８Ａ，９８Ｂ，９８Ｃによってセーフ球の種別毎に検出されてカウントされた数値に対応して所定個数の賞品球がカウンタケース７３から払い出される（例えばセーフ球検出センサ９６Ａに対応して１３個、セーフ球検出センサ９６Ｂに対応して７個の賞品球が払い出される）。
【００７６】
制御回路基板９３には払い出し球処理ユニットＵ内に組込まれたパルスモータ７５と、払い出し制御ソレノイド７７と、両球切れ確認センサ７８と、球計数センサ７９と、球抜き検出スイッチ８６と、球抜きソレノイド９１と、賞品球払い出しモータ１１５と、両賞品球払い出し検出スイッチ１２３とがそれぞれコネクタを介して解離可能に接続されるとともに、遊技盤２４に配設された各セーフ球検出センサ９６Ａ，９６Ｂ，９６Ｃと、払い出し種別表示ＬＥＤ１５２と、各セーフ球検出センサ９６Ａ，９６Ｂ，９６Ｃによって検出されたセーフ球数をカウンタとするセーフ球カウンタ９８Ａ，９８Ｂ，９８Ｃと、賞品球切れ検出スイッチ５９と、補給切れ検出スイッチ９９とがそれぞれコネクタを介して接続されている。
【００７７】
制御回路基板９３の後面の内端には発射装置制御基板２１に接続されたリード線束、防犯基板に接続されたリード線束、入賞装置用制御回路に接続されたリード線束が接続されるユニット外配線用コネクタ９５Ａ，９５Ｂが固定されている。
【００７８】
基板受けケース１０３と制御回路基板９３との間にはパチンコ機の電源部（トランス、コンデンサ）、払い出し球処理ユニットＵの払い出し制御用ソレノイド７７、球抜きソレノイド９１、賞品球払い出しモータ１１５、帯電したパチンコ球等によって発生する電気的なノイズを遮断して制御回路基板９３をノイズから保護する２枚の金属製のシールド板９４，９４が挟み込まれている。このシールド板９４はその上端縁および両側縁が制御回路基板９３の上端縁および両側縁に対接されている外は制御回路基板９３の回路面から若干離れた状態で制御回路基板９３とともに基板受けケース１０３に取付けられている。
【００７９】
ベース体７０には半透明の合成樹脂材によって縦長で前方開放のほぼ方形箱形状に成形されてベース体７０の長さおよび横幅と等しい長さおよび横幅を有し、ベース体７０をその全長にわたって覆蓋する蓋体１００が向い合わせ状で分離可能に結合されている。蓋体１００の四周に形成された壁板１００ｂはベース体７０の各壁板にそれぞれ突合わせ状に対置され、蓋体１００はこの蓋体１００およびベース体７０に貫挿された複数個のビスによってベース体７０とともにセット枠５０の縦枠板５０ｂに取外し可能に取付けられている。蓋体１００には制御回路基板９３付近を覆蓋する凸部１００ａが中央部付近から下部にわたって突出形成されている。
【００８０】
上誘導体７１、カウンタケース７３、下誘導体８４、ケース受けケース１０３、制御回路基板９３、両シールド板９４等はベース体７０と蓋体１００とによって形成されたケース内に封入されている。
【００８１】
蓋体１００には発射装置制御基板２１、防犯基板１４６、入賞装置用制御回路に接続されたリード線束の接続端子が挿通される上下のコネクタ挿通窓１０４，１０４が制御回路基板９３のユニット外配線用コネクタ９５Ａ，９５Ｂに対向して開口され、蓋体１００をベース体７０に結合した状態でリード線束の接続端子をコネクタ挿通窓１０４を通じて蓋体１００内へ差込んでユニット外配線用コネクタ９５Ａ，９５Ｂに接続することができる。
【００８２】
セット枠５０の下横板５０ｄの後面にビス着された球送りケース１２７の前面にはベース体７０の内側壁板７０ｆの下部に開口された球出口７０ｉから流出した払い出し球を内下方へ誘導して上ベル１４４に衝突させる上誘導樋１２８と、この上誘導樋１２８の内端から転落した払い出し球を外下方へ誘導する中誘導樋１２９と、基枠２２の上皿口４２に対向して前方へ水平状に延出されて中誘導樋１２９の外端から転落した払い出し球を受止める受止め板１３０と、この受止め片１３０上からオーバーフローした払い出し球を内下方へ誘導して下ベル１４５に衝突させてから球受箱４９内へ導入する下誘導樋１３１とが突出形成されている。
【００８３】
球送りケース１２７の下端部の前側で下誘導樋１３１の下方には下球受皿７上に貯留球が充満したときにパチンコ球の払出しを禁止する信号をコントロールユニット４８に伝送する球払出し禁止スイッチ（満タン検出スイッチ）１３５と、この球払出し禁止スイッチ１３の内方に内外方向への搖動可能に軸支されたスイッチ押え１３６とが取付けられている。
【００８４】
基枠２２の下枠板２２ｂの裏面の反操作ハンドル８側端部には制御回路基板９３、中継基板１４７および球払出し禁止スイッチ１３５およびスピーカ４６にリード線を介して接続された防犯基板１４６が取着されている。
【００８５】
下球受皿７上にパチンコ球が充満すると、球払出し禁止スイッチ１３５がＯＮとなって発射モータ１４および賞品球払出しモータ１１５がそれぞれ停止する。さらに、前記タンクレール５６上の貯留球が不足すると、前記補給切れ検出スイッチ９９がＯＮとなって発射モータ１４および賞品球払出しモータ１１５がそれぞれ停止するとともに、セット枠５０の上端にランプ基板１４９を介して取付けられた球払い出し兼球切れ表示灯１３３が点灯する。
【００８６】
セット枠５０の上横板５０ｃの回動支点側端部には払い出し球処理ユニットＵの上方に配設されてセット枠５０の内部配線と外部配線とを中継する中継器１３７が球払出し兼球切れ表示灯１３３に対向して取付けられている。中継器１３７の端子ボックス１４０内には外部端子基板１３８が装入されるとともに、端子ボックス１４０の上端部、下端部、内端部には外部端子基板１３８の後面に取付けられた複数個のコネクタ１３９を介して外部端子基板１３８のプリント回路に接続されたリード線束を挿通保持するために挿通口の幅が狭縮されたリード線束保持部１４０ａ〜１４０ａがそれぞれ形成されている。
【００８７】
外部端子基板１３８の後面にはこの外部端子基板１３８のプリント回路に接続されて横方向へ配列された上下４対の外部接続端子１４２が固着されるとともに、端子ボックス１４０の後壁板１４０ｂには各外部接続端子１４２にそれぞれ接続される外部リード線１３４の裸線部１３４ａを挿通するための４対のリード線挿通口１４１が各外部接続端子１４２にそれぞれ対向して開設され、さらに、後壁板１４０ｂには外部リード線１３４の裸線部１３４ａを外部接続端子１４２に解離可能に圧接させるためにそれぞれ外部接続端子１４２側へばねで付勢されて上方若しくは下方へ指で押動操作されるつまみ１４３が各外部接続端子１４２にそれぞれ対向して貫挿され、各つまみ１４３は各対毎に色分けされている。４対の外部接続端子１４２には当り情報出力用の１対の外部リード線と、発射装置制御入力用の１対の外部リード線と、ガラス扉枠開放情報出力用の１対の外部リード線と、球切れ情報出力用の１対の外部リード線とがそれぞれ接続される。
【００８８】
なお、図２３に示すように、上球受皿６には返却球ソレノイド１５７によって開閉されて返却球を回収する返却球回収通路１５８を設け、制御回路基板９３には返却スイッチ１０８が接続されて返却球数を演算する返却球数演算部を接続し、返却スイッチ１０８の操作によって上球受皿６上に貯留されたパチンコ球が返却球回収通路１５８を通じて回収され、返却球センサ１５６が出力するパルス数によって回収球数がカウントされ、回収球数が球貸し単位金額に換算され、かつカードの残金に加算されてカードリーダ１１０によってカードに記録されるようにしてもよい。
【００８９】
この場合には再換算可能な端数のパチンコ球数（例えば１００円／２５個の場合に３０個が回収されたとすると５個分）は再び上球受皿６上へ返却される。
【００９０】
また、カードに記録された金額データは減算される場合の外、上球受皿６上に一定個数以上（パチンコ球購入単位以上）のパチンコ球が貯留された場合には返却スイッチ１０８の操作によって加算されてカードに書き込まれる。
【００９１】
なお、購入金額単位に換算可能な端数は、換算され加算された金額データとともに端数データとしてカードリーダ１１０によってカードに記録される。
【００９２】
さらに、他の実施態様として端数データが書き込まれたカードを使用して再度球貸しをする場合に、所定の球貸し金額に対応するパチンコ球数に加え、端数分のパチンコ球が上球受皿６上へ供給されるようにしてもよい。
【００９３】
なお、図２４に示すようにパチンコ機本体部の側方に隣設したカードユニット部１０２の前面にカード挿入口１１０ａ、球貸しスイッチ１０７、返却スイッチ１０８、球貸し可表示ＬＥＤ１０９、カード情報表示ＬＥＤ１１２を配設するようにしてもよい。
【００９４】
続いて、上記した構成をもつ実施の形態にかかる作用と効果を説明する。本例では縦長状に形成されて本体部Ｈのセット枠５０に装着される合成樹脂製のベース体７０には、回転体７６の回転動作によって規定個数のパチンコ球を払い出す球払い出し機構が収容されたカウンタケース７３と、球タンク５５内から送り出されたパチンコ球を誘導してカウンタケース７３内へ送り込む上誘導体７１と、カウンタケース７３内から放出されたパチンコ球を払い出し球として上球受皿６に向けて誘導する払い出し球通路８０Ｂおよびカウンタケース７３内から放出されたパチンコ球をパチンコ機外へ誘導する球抜き用通路８１Ｂが隣接して形成され、カウンタケース７３内から放出されたパチンコ球を払い出し球通路８０Ｂ若しくは球抜き用通路８１Ｂへ振り分ける振り分け部材９０が支持された下誘導体８４と、この下誘導体８４に重ね合わされた球払い出し制御用の制御回路基板９３とをそれぞれ取外し可能に組付けるとともに、ベース体７０にはこのベース体７０をその全長にわたって覆蓋する合成樹脂製の蓋体１００を分離可能に結合してある。
【００９５】
このため、パチンコ球を払い出す機構、パチンコ球を球払い出し機構へ誘導する部材、球払い出し機構から放出されたパチンコ球を球受皿および機外へ誘導する部材や振り分ける振り分け部材、球払い出し制御用の制御回路基板等を一括して本体枠に装着することができ、パチンコ球の払い出しに関連する機構および部材の組付け、修理、点検、保守等の各作業を簡便化および能率化することができる。
【図面の簡単な説明】
【００９６】
【図１】本発明の実施の形態を示すもので、払い出し球処理ユニットの分解斜視図である。
【図２】パチンコ機の正面図である。
【図３】本体枠の背面図である。
【図４】発射装置付近の背面図である。
【図５】発射レール付近の分解斜視図である。
【図６】図２のＸ１−Ｘ１線拡大断面図である。
【図７】図３のＸ２−Ｘ２線拡大断面図である。
【図８】球タンク付近の背面図である。
【図９】払い出し球処理ユニットのベース体の背面図である。
【図１０】カセットケースおよび内部機構の分解斜視図である。
【図１１】下誘導体の正面図である。
【図１２】振り分け片駆動機構の分解斜視図である。
【図１３】制御回路基板付近の分解縦断面図である。
【図１４】賞品球払い出しモータ付近の背面図である。
【図１５】球払い出し制御回路の配線図である。
【図１６】中継器付近の背面図である。
【図１７】図１６のＸ３−Ｘ３線断面図である。
【図１８】払い出し球処理ユニットの下部付近の背面図である。
【図１９】図２のＸ４−Ｘ４線拡大断面図である。
【図２０】パチンコ機の電気配線図である。
【図２１】カードユニット中継基板およびカード情報処理基板の結線図である。
【図２２】球払い出し系統図である。
【図２３】他の球払い出し系統図である。
【図２４】パチンコ機の他例を示す正面図である。
【符号の説明】
【００９７】
６      上球受皿
５５    球タンク
７０    ベース体
７１    上誘導体
７３    カウンタケース
７６    回転体
８０Ｂ  払い出し球通路
８１Ｂ  球抜き用通路
８４    下誘導体
９０    振り分け部材
９３    制御回路基板
１００  蓋体
Ｕ      払い出し球処理ユニット
【図１】
2005152672.tif 000003
【図２】
2005152672.tif 000004
【図３】
2005152672.tif 000005
【図４】
2005152672.tif 000006
【図５】
2005152672.tif 000007
【図６】
2005152672.tif 000008
【図７】
2005152672.tif 000009
【図８】
2005152672.tif 000010
【図９】
2005152672.tif 000011
【図１０】
2005152672.tif 000012
【図１１】
2005152672.tif 000013
【図１２】
2005152672.tif 000014
【図１３】
2005152672.tif 000015
【図１４】
2005152672.tif 000016
【図１５】
2005152672.tif 000017
【図１６】
2005152672.tif 000018
【図１７】
2005152672.tif 000019
【図１８】
2005152672.tif 000020
【図１９】
2005152672.tif 000021
【図２０】
2005152672.tif 000022
【図２１】
2005152672.tif 000023
【図２２】
2005152672.tif 000024
【図２３】
2005152672.tif 000025
【図２４】
2005152672.tif 000026
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
カード挿入口を有し、カードに記録されたデータを読み取るカードリーダが組み込まれているカードユニットが隣接され、該カードユニットと電気的に接続されたパチンコ機であって、
前記パチンコ機の本体には、
前記貸球と賞品球とを払い出す球払い出し装置と、
該球払い出し装置を制御する制御回路基板と、
前記球払い出し装置を制御する制御回路基板とは別に設けられてパチンコ機の諸機能をコントロールするメイン制御基板と、
遊技者によって操作される球貸しスイッチと、
遊技者によって操作される返却スイッチと、
カードに記録された情報を表示するカード情報表示手段と、
前記カードユニットと前記制御回路基板とを接続するカードユニット中継基板と、
前記球払い出し装置で払い出すべきパチンコ球が不足したことを検出する球切れ検出スイッチと、を備え、
前記カードユニット中継基板には、前記球貸しスイッチと前記返却スイッチと前記カード情報表示手段とが直接接続され、
前記制御回路基板には、前記カードユニット中継基板を介することなく前記球切れ検出スイッチが接続されることにより、該制御回路基板によって制御される動作として前記球切れ検出スイッチからの信号によって球無し状態でないことが判定されたときに前記球貸しスイッチが操作されることに応じて前記球払い出し装置を駆動して所定個数の貸球を払い出すと共に、セーフ球検出スイッチが入賞の発生を検出することに応じて所定個数の賞品球を払い出すことを特徴とするパチンコ機。
【手続補正２】
【補正対象書類名】明細書
【補正対象項目名】全文
【補正方法】変更
【補正の内容】
【発明の詳細な説明】
【技術分野】
【０００１】
この発明はパチンコ機に関する。
【背景技術】
【０００２】
従来のパチンコ機では賞品球、抜き取り球を誘導する部材や、賞品球を払い出す機構や、賞品球払い出し用の回路基板等の賞品球の処理に関連する機構および部材を本体枠に個別に取付けていた。
【発明の開示】
【発明が解決しようとする課題】
【０００３】
本発明は賞品球の処理に関連する機構の修理、点検を簡便化することを課題とするものである。
【課題を解決するための手段】
【０００４】
本発明のパチンコ機は、カード挿入口を有し、カードに記録されたデータを読み取るカードリーダが組み込まれているカードユニットが隣接され、該カードユニットと電気的に接続されたものであって、上記目的を達成するために、前記パチンコ機の本体には、前記貸球と賞品球とを払い出す球払い出し装置と、該球払い出し装置を制御する制御回路基板と、前記球払い出し装置を制御する制御回路基板とは別に設けられてパチンコ機の諸機能をコントロールするメイン制御基板と、遊技者によって操作される球貸しスイッチと、遊技者によって操作される返却スイッチと、カードに記録された情報を表示するカード情報表示手段と、前記カードユニットと前記制御回路基板とを接続するカードユニット中継基板と、前記球払い出し装置で払い出すべきパチンコ球が不足したことを検出する球切れ検出スイッチと、を備え、前記カードユニット中継基板には、前記球貸しスイッチと前記返却スイッチと前記カード情報表示手段とが直接接続され、前記制御回路基板には、前記カードユニット中継基板を介することなく前記球切れ検出スイッチが接続されることにより、該制御回路基板によって制御される動作として前記球切れ検出スイッチからの信号によって球無し状態でないことが判定されたときに前記球貸しスイッチが操作されることに応じて前記球払い出し装置を駆動して所定個数の貸球を払い出すと共に、セーフ球検出スイッチが入賞の発生を検出することに応じて所定個数の賞品球を払い出すことを特徴とする。
【発明の効果】
【０００５】
本発明は前記したように構成してあるので、カードユニットとパチンコ機との接続関係を、パチンコ機の本体に設けられるカードユニット中継基板を介して行い、そのカードユニット中継基板には、必要最小限の球貸しスイッチと返却スイッチとカード情報表示手段と球払い出し装置を制御する制御回路基板とだけを接続し、それ以外のパチンコ機の本体側の部品からの接続を排除して貸球や賞品球であるパチンコ球を払い出すようにしているので、配線の接続関係を簡潔にすることができ、これによってパチンコ球の払い出しに関連する機構の修理、点検、保守等の各作業を簡便化および能率化することができる。
【発明を実施するための最良の形態】
【０００６】
次に、本発明がカード式パチンコ機について具体化された実施の形態を図面にしたがって説明する。
【実施例１】
【０００７】
カード発行機で購入したゲーム専用のカードを使用して所望個数のパチンコ球と交換し、交換したパチンコ球によってゲームを行うカード式パチンコ機において、パチンコ機の本体部Ｈの一側方に隣設されたカードユニット部１０２にはカード挿入口１１０ａを有し、カードに記録された金額データを読み取るカードリーダ１１０が組込まれている。
【０００８】
カードリーダ１１０は持ち球数・金額換算部と金額データ・持ち球数データ記録部とを有し、カードユニット部１０２内に組込まれたカード情報処理基板１５５に接続されている。
【０００９】
カード情報処理基板１５５にはカードユニット部１０２の使用が可能な場合に点灯し、異常発生時に点滅するカードユニット利用可能ランプ１５３と、カードがカードリーダ１１０のカード挿入口１１ａに挿入されている間点灯し、カード取出し時に点滅するカード挿入中ランプ１５４と、端数表示スイッチとが接続されている。
【００１０】
パチンコ機の本体部Ｈの外枠１は木材で方形枠状に形成され、この外枠１の前面には木質合板で額縁状に形成されて外枠１の一側縁の上下端部に前方への回動可能に軸着され、外枠１の前面を開閉する前枠２が施錠可能に取付けられている。前枠２の前面には窓枠３が前枠２の開口縁に沿って取着され、この窓枠３にはガラスが嵌装されたガラス扉枠４と、このガラス扉枠４の下方に隣設された下方板５とがそれぞれ前方へ回動可能に軸着されている。下方板５の裏面には球供給機構が組付けられるとともに、下方板５の前面には払い出されたパチンコ球を受容する上球受皿６が取着され、この上球受皿６には球抜きレバー６ａが付設され、また、球入口６ｂが開口されている。
【００１１】
前枠２の下端部前面には上球受皿６上にパチンコ球が充満したときにパチンコ球を受容する下球受皿７が取着され、この下球受皿７には球抜きレバー７ａが付設されている。前枠２の下端部の反回動支点側端部には遊技者によって回動操作される操作部を有する操作ハンドル８が取付けられている。
【００１２】
下方板５の後面上端にはカードユニット部１０２のカード情報処理基板１５５にコネクタを介して接続されたカードユニット中継基板１０６が取付けられている。
【００１３】
カードユニット中継基板１０６には下方板５の前面の上端に取付けられた横長状の表示プレート１０５に押ボタンが挿通されて持ち球を借り出すときに遊技者によって操作される球貸しスイッチ１０７と、表示プレート１０５に押ボタンが挿通されてカード返却時に遊技者によって操作される返却スイッチ１０８とが接続されている。
【００１４】
球貸しスイッチ１０７を１回押すと、球貸し単位設定手段によって変更可能に設定される金額分（１００円、３００円、５００円）の持ち球が上球受皿６上へ貸し出されてカードに記録された金額が減算され、球貸しスイッチ１０７を押す毎に持ち球が追加されてカードに記録された金額がテレホンカード状に減算される。
【００１５】
返却スイッチ１０８を押すと、カードがカードリーダ１１０のカード挿入口１１０ａから取出されてゲームが終了する。
【００１６】
カードユニット中継基板１０６にはカードに記録された金額や使用後の残高を３桁表示する７セグメントのカード情報表示ＬＥＤ１１２〜１１２が接続されている。カードユニット部１０２の端数表示スイッチを押すと、カード情報表示ＬＥＤ１１２は下２桁の端数その他を表示する。
【００１７】
カードユニット中継基板１０６には球貸しが可能な場合に点灯し、払い出し中は消灯する球貸し可表示ＬＥＤ１０９が接続されている。表示プレート１０５にはカード情報表示ＬＥＤ１１２の照射光を拡散させて透過させる第１レンズ部１０５ａと、球貸し可表示ＬＥＤ１０９の照射光を拡散させて透過させる第２レンズ部１０５ｂとが形成されている。
【００１８】
前枠２の前面には合成樹脂製のランプケース９が取着され、このランプケース９にはそれぞれ半透明の合成樹脂製で端部が丸められたほぼ半円筒状に形成されたランプカバー１０がビス着されている。
【００１９】
前枠２の裏面下端部の反回動支点側端部には発射機構用の取付ベース１２が取着され、この取付ベース１２の一端部にはこの取付ベース１２の後方に垂立されたモータ取付板１３がビス着されている。モータ取付板１３の裏面には発射モータ１４が取付けられ、この発射モータ１４の出力軸１４ａには発射カム１６が嵌着されている。
【００２０】
取付ベース１２には打球ハンマ１７が左右方向への傾動可能に軸支されるとともに、打球ハンマ１７には発射カム１６に弾接されたカムフォロア１７ａとこのカムフォロア１７ａの内方に配設された掛止ローラ１７ｂとがそれぞれ回転可能に軸支されている。取付ベース１２の内端部付近に貫設された横長状のガイド孔１２ａ内には操作ハンドル８に連繋された掛止部材１８が横方向へのスライド可能に貫挿され、この掛止部材１８と掛止ローラ１７ｂとには打球ハンマ１７がパチンコ球を打出すときの発射力を設定するコイルばね１９が掛架されるとともに、取付ベース１２の内端部には掛止部材１８を位置決めする調整レバー２０が傾動操作可能にピン着されている。モータ取付板１３の下端に形成されたケース１３ａ内には発射装置制御基板２１が装入されている。
【００２１】
取付ベース１２にはパチンコ球を単発発射するときに操作される発射装置停止スイッチ３４と、操作ハンドル８の回動操作によってＯＮ，ＯＦＦされるハンドルスイッチ１５１とが取付けられるとともに、発射装置制御基板２１には遊技者が操作ハンドル８に触れたときにＯＮとなるタッチスイッチ２１ａが接続されている。発射モータ１４、発射装置停止スイッチ３４、ハンドルスイッチ１５にそれぞれ結線されたリード線はコネクタを介して発射装置制御基板２１にそれぞれ接続されている。
【００２２】
操作ハンドル８を回動操作すると、ハンドルスイッチがＯＮとなって発射モータ１４が１分間に１００回転以内の速度で回転して打球ハンマ１７が反復傾動し、打球ハンマ１７の傾動毎にパチンコ球が発射される。
【００２３】
前枠２の裏面には不透明の合成樹脂材で正面形状が逆凹字形状に形成された上枠部２２ａと、この上枠部２２ａの下端に突合わせ状に連接されて半透明の合成樹脂材で形成された下枠部２２ｂとに分割されて外枠１内に装入された基枠２２が取付けられ、この基枠２２の上枠部２２ａおよび下枠部２２ｂはそれぞれビス２３で前枠２の後面に締着されている。基枠２２の後部には後方へ突出された段部２５が４周にわたって形成され、この段部２５内には遊技盤２４が後方への取出し可能に嵌込まれている。遊技盤２４の後方にはパチンコ機の諸機能をコントロールするメイン制御基板４８が設置されている。
【００２４】
基枠２２の段部２５の上端後面の中央部付近と、段部２５の操作ハンドル８側の縦枠部の上端部および下部と、段部２５の下部の中央付近とにはそれぞれ段部２５の内壁面２５ａの内外へ出没される掛止部２６ａと、指で回動操作される操作部２６ｂとを有する締め具２６が段部２５の後面と締め具２６の基部との間にゴムブッシュ２６ｃを介座させた状態でそれぞれねじ４４によってこのねじ４４の回りの回動操作可能に取付けられている。基枠２２が外枠１内に装入された状態では掛止部２６ａが段部２５の内壁面２５ａの内方へ突出する方向への締め具２６の回動操作が不能となる。
【００２５】
基枠２２の上枠部２２ａの上部に突出形成されたランプ基板取付部２７の後側には図６に示すように横長状のランプ基板２８と、このランプ基板２８を覆蓋するカバー板４７とがビス着され、このランプ基板２８にはそれぞれランプ基板２８のプリント回路に接続された当り表示灯２９が取付けられるとともに、ランプ基板２８にはランプ基板２８のプリント回路に接続されたガラス扉枠開放表示灯３０が取付けられている。各表示灯２９，３０は前枠２の上部２ａにそれぞれ貫挿されてランプカバー１０で覆蔽されている。
【００２６】
基枠２２の下枠部２２ｂの反操作ハンドル８側端部付近には角筒状の上皿口４２が形成されるとともに、基枠２２の下枠部２２ｂの中央部付近下端には下皿口４３が開口され、また、下枠部２２ｂの中央部付近の後面には下皿口４３に連通された箱形状の球受箱４９と、入賞時に効果音等を発生するスピーカ４６とが取付けられている。
【００２７】
基枠２２の段部２５の下端には下枠部２２ｂに配線されたリード線を基枠２２の幅方向の一端部から他端部にわたって挿通するために断面形状がコ形状で長手方向の中央部付近が曲折されたリード線挿通溝１４８が基枠２２のほぼ全幅にわたって凹設されている。基枠２２の下枠部２２ｂの操作ハンドル８側端部付近にはガラス扉枠４の開放を検出するガラス扉枠開放検出スイッチ３２が取付けられ、このガラス扉枠開放スイッチ３２の押ボタン３２ａはガラス扉枠４の閉止時にはガラス扉枠４によって押圧され、ガラス扉枠４が開放されたときには解放されてガラス扉枠開放検出スイッチ３２の検出信号でガラス扉枠開放表示灯３０が点灯する。スイッチ取付部３１の下方には複数個のコネクタ１４７ａを備えた中継基板１４７が取付けられている。この中継基板１４７には発射装置制御基板２１にコネクタを介して接続されたリード線およびガラス扉枠開放検出スイッチ３２に結線されたリード線がそれぞれコネクタ１４７ａを介して接続されている。
【００２８】
基枠２２の下枠部２２ｂの前面下部には合成樹脂製で発射レール用の第１セット基板３７が取付けられ、この第１セット基板３７の前面には斜め方向へ配列された３つの取付ボス３７ａが突設されるとともに、第１セット基板３７の中央部付近および外端部の下端には前記遊技球供給機構に連繋された下搖動レバー３８と、この下搖動レバー３８に連繋された上搖動レバーとがそれぞれ搖動可能に軸支され、さらに、第１セット基板３７の外端部の上部にはパチンコ球供給機構から供給されたパチンコ球を受止める球止め片３９がビス着されている。
【００２９】
第１セット基板３７の前面には上面の縦断面形状が扁平Ｖ形状で上面の側面形状がサイクロイド曲線状に若干湾曲されたレール部４０ａと、このレール部４０ａの前後端縁の中央部および内外端部にそれぞれ連接されて下方へ突出された前後３対の取付片４０ｃ，４０ｂとを有する発射レール４０が各取付ボス３７ａを介して位置決めされて傾斜状に取付けられている。発射レール４０の後側の各取付片４０ｂには取付ボス３７ａが貫挿された後孔４５Ｂが貫設され、前側の各取付片４０ｃは取付ボス３７ａの前端面にそれぞれ当接され、この前側の各取付片４０ｃには後孔４５Ｂより小径の前孔４５Ａが貫設されている。
【００３０】
発射レール４０は中央部の前側取付片４０ｃの前孔４５Ａを貫通して中央部の取付ボス３７ａに螺嵌された取付ねじ４１によって第１セット基板３７に取着されるとともに、第１セット基板３７は両端部の前側取付片４０ｃ、および、両端の取付ボス３７ａを貫通してそれぞれ下枠部２２ｂにねじ止めされた取付ねじ４１によって発射レール４０とともに下枠部２２ｂに組付けられ、発射レール４０の基端は球止め片３９の斜め下方に配設され、発射レール４０の先端は遊技盤２４のレール２４ａの基端部に対置されている。
【００３１】
基枠２２の後側には中央部に開口部５０ａが開口された合成樹脂製のセット枠５０が取外し可能に組付けられている。このセット枠５０は基枠２２の段部２５の反操作ハンドル８側縦枠部に取着されて通し孔を有するヒンジヒメール５１Ａと、縦枠部５０ｂの外側面に取着されてヒンジヒメール５１Ａの通し孔内に上方への脱出可能に嵌挿されたピンを有する上下１対のヒンジメール５１Ｂとを介して基枠２２に後方への回動可能に支持されている。セット枠５０の端縁部には各締め具２６の掛止部２６ａにそれぞれ掛脱される掛合部５２が各締め具２６に対向してそれぞれ形成され、セット枠５０は各掛合部５２が各締め具２６で掛止されてセット枠５０と基枠２２との間に遊技盤２４を挟持した状態で各締め具２６によって基枠２２に解放可能に押止されている。
【００３２】
セット枠５０の上横板５０ｃの裏面にはパチンコ球を貯留するための方形箱形状の球タンク５５が上方への取外し可能に取付けられ、この球タンク５５の底板５５ａは外方へ下傾した傾斜状に形成され、この底板５５ａの外端には球出口５５ｂが開口されている。
【００３３】
セット枠５０の上横板５０ｃの後面には球タンク５５の球出口５５ｂの下方に配設されて球供給機構および球切れ検出機構が装着された第２セツト基板６５が間隙を隔てて取付けられている。この第２セット基板６５の前面の中央部付近にはほぼ扇形状の基部５６ａと、内方へ延出されたレール部５６ｂと、レール部５６ｂの内端に連接されて下方へ延出された円弧状のシャッタ部５６ｃとを有し、上下方向への搖動可能に軸支されたタンクレール５６が取付けられている。このタンクレール５６はスプリング６２によってレール部５６ｂが上方へ搖動する方向へ付勢されている。
【００３４】
タンクレール５６の基部５６ａに上端部が連結されて垂下された連結片５７の下端部には前記上搖動レバーに下端部が繋止された連結ロッド５４の上端部が繋止されている。
【００３５】
タンクレール５６の基部５６ａの後面にはタンクレール５６の搖動支点を中心とする円弧曲線上に隣接して配設されて異色（緑色と赤色）に着色された円形の第１定常マーク５８Ａおよび第１作動マーク５８Ｂが表示されている。所定数以上のパチンコ球がタンクレール５６のレール部５６ｂ上に積載されている場合にはレール部５６ｂがスプリング６２に抗して下方へ搖動し、レール部５６ｂ上のパチンコ球が不足すると、レール部５６ｂがスプリング６２の弾発力で上方へ搖動する。
【００３６】
第２セット基板６５の前面外端には前後方向へ密接状態で配列された３つの球切れ検出スイッチ５９がスイッチ基板５９ａを介して取付けられるとともに、第２セット基板６５の前面の外端付近には各球切れ検出スイッチ５９に対向して垂下された押え部６０ａと、タンクレール５６の基部５６ａに向って下傾状に延出された検出部６０ｂとを有し、内外方向への搖動可能に軸支されたスイッチ押え６０が取付けられている。
【００３７】
パチンコ球がタンクレール５６上に積載された正常状態ではスイッチ押え６０が外方へ搖動して各球切れ検出スイッチ５９の触動片５９ｂが押圧され、タンクレール５６上に貯留球が欠乏した異常状態ではスイッチ押え６０が内方へ搖動して各球切れ検出スイッチ５９の触動片５９ｂが解放される。
【００３８】
スイッチ押え６０の検出部６０ｂの下端に突設された突片６０ｃの後面にはスイッチ押え６０の搖動支点を中心とする円弧曲線上に隣接して配設されて異色（緑色と赤色）に着色された円形の第２定常マーク６１Ａおよび第２作動マーク６１Ｂが表示されている。
【００３９】
第２セット基板６５の外端付近の下部には第１定常マーク５８Ａ、第１作動マーク５８Ｂ、および、第２定常マーク６１Ａ、第２作動マーク６１Ｂにそれぞれ対向して丸孔状の透視窓６５ａ，６５ｂが開設されている。
【００４０】
タンクレール５６のレール部５６ｂが下方へ搖動した正常状態では緑色の第１定常マーク５８Ａが透視窓６５ａを通じて透視され、レール部５６ｂが上方へ搖動した異常状態では赤色の第１作動マーク５８Ｂが透視窓６５ａを通じて透視され、タンクレール５６上の貯留球の不足の有無を第１定常マーク５８Ａ、第１作動マーク５８Ｂによって判別することができる。
【００４１】
スイッチ押え６０が外方へ搖動した正常状態では緑色の第２定常マーク６１Ａが透視窓６５ｂを通じて透視され、球タンク５５内の貯留球が欠乏してスイッチ押え６０が内方へ搖動し、各球切れ検出スイッチ５９の触動片５９ａが解放された異常状態では赤色の第２作動マーク６１Ｂが透視窓６５ｂを通じて透視され、貯留球の欠乏の有無を第２定常マーク６１Ａ、第２作動マーク６１Ｂによって判別することができる。
【００４２】
セット枠５０の上横板５０ｃの後面には基端が第２セット基板６５の内端に結合されて反球タンク５５側へ下傾する球レール６３が傾斜状に取付けられ、この球レール６３内にはその幅方向の中央部に長手方向に沿って立設された隔壁６３ａによって仕切られた前後の球通路が並設されている。セット枠５０の上横板５０ｃには球レール６３の長手方向の中央部の上方に左右方向への搖動可能に垂下された前後１対の球ならし振子６４がビス着されている。セット枠５０の上横板５０ｃには球レール６３の下面に添設された下片と、後面に添設された後片とを有するスイッチホルダ６７が取外し可能で取付け位置の変更可能に取付けられ、このスイッチホルダ６７の下片上には球レール６３内のパチンコ球の欠乏を検出する補給切れ検出スイッチ９９が設置されている。
【００４３】
セット枠５０の回動支点側の縦枠板５０ｂの後面には払い出し球の処理に関連する機構および部材が組込まれた払い出し球処理ユニットＵが縦枠板５０ｂのほぼ全長にわたって脱着可能に装着されている。
【００４４】
払い出し球処理ユニットＵのベース体７０は半透明の合成樹脂材によって縦長で後方開放のほぼ方形箱形状に形成され、その前端に垂立された前板７０ａの四周縁には壁板７０ｆが連設され、内側壁板７０ｆの上端には球レール６３上を転動してベース体７０内へ送り込まれるパチンコ球が通り抜ける球入口７０ｈが開口されている。
【００４５】
ベース体７０の前板７０ａの後面の上端には球入口７０ｈを通り抜けたパチンコ球を斜め下方へ誘導してから下方へ誘導する合成樹脂製の上誘導体７１がビスによって取外し可能に取付けられている。
【００４６】
上誘導体７１はほぼ逆Ｌ形状に曲折され、ベース体７０の前板７０ａ側に配設された前部材７１ａと、この前部材７１ａの後側に重ね合わされた後部材７１ｂとによって形成され、ベース体７０の前板７０ａと前部材７１ａとの間、および、前部材７１ａと後部材７１ｂとの間には隔壁によって仕切られて上部が先下り状で下部が垂直状となった前後１対の球通路７２がほぼ逆Ｌ形状に曲折形成されている。球レール６３上を転動したパチンコ球は上誘導体７１内へ横方向から送り込まれて両球通路７２を通って下方へ放出される。
【００４７】
ベース体７０の前板７０ａの上部には上誘導体７１の下方に隣設された中空直方体状のカウンタケース７３がビスによって取外し可能に取付けられている。カウンタケース７３はベース体７０に固定されたベース７３ａと、このベース７３ａに結合された箱体７３ｂとによって形成されている。
【００４８】
カウンタケース７３には両球通路７２に連通されて上誘導体７１内から送り出されたパチンコ球が上方から下方へ通り抜ける前後１対の内部通路７４が貫通状に形成され、この両内部通路７４の途中にはカウンタケース７３内に封入されてパルスモータ７５の出力軸に結合されかつ６個の歯部７６ａと６個の谷部７６ｂとが周方向へ等間隔で交互に配列された回転体７６が、その一部が両内部通路７４内へ突入した状態で設置されている。パルスモータ７５が起動されて回転体７６が回転すると、回転体７６の歯部７６ａが１歯送られる毎に回転体７６の上方で両内部通路７４内および両球通路７２内で縦２列に配列されたパチンコ球が例えば１５個／１秒の速度で下方へ放出される。
【００４９】
カウンタケース７３内には回転体７６の回転を阻止若しくは許容する払い出し制御用ソレノイド７７が回転体７６に対向して設置され、この払い出し制御用ソレノイド７７の作動片７７ａは消磁時には回転体７６の各歯部７６ａのうちの１つの歯部７６ａに対接されて回転体７６の回転を阻止し、払い出し制御用ソレノイド７７が励磁されると回転体７６の歯部７６ａが作動片７７ａから解放されて回転体７６の回転動作が許容される。
【００５０】
カウンタケース７３内には両内部通路７４の上部付近にホルダ８２によって支持されて回転体７６の上方で両内部通路７４内の上部でのパチンコ球の有無を検出する前後１対の球切れ確認センサ７８が設置されている。
【００５１】
カウンタケース７３内には両内部通路７４の下部付近にホルダ８２によって支持されて両内部通路７４を通り抜けるパチンコ球を回転体７６の下方で検出する前後１対の球計数センサ７９が設置され、両球切れ確認センサ７８および両球計数センサ７９はカウンタケース７３内に装入されて回路基板８５に接続固定されている。
【００５２】
ベース体７０の前板７０ａの後面にはその上下方向の中央部付近でカウンタケース７３の下方に配設されて上端縁が前側内部通路７４の出口の斜め下方に配設され下部が内方へ下傾した内壁７０ｂと、この内壁７０ｂの中央部付近および下部と並行に形成された隔壁７０ｃと、上端縁が前側内部通路７４の出口から放出されたパチンコ球を通過させる間隙を隔てて内壁７０ｂの上端縁の外方に配設され、下端縁が隔壁７０ｃの上端縁の外方に配設された上外壁７０ｄと、隔壁７０ｃの下方に配設されて上部が隔壁７０ｃの下部と並行に形成された下外壁７０ｅとが連接されている。
【００５３】
内壁７０ｂの中央部付近および下部と隔壁７０ｃとの間にはカウンタケース７３の前側内部通路７４から放出されたパチンコ球を払い出し球として上球受皿６へ向けて誘導する前払い出し球通路８０Ａが形成され、隔壁７０ｃとベース体７０の外側壁板との間、隔壁７０ｃと下外壁７０ｅとの間、下外壁７０ｅとベース体７０の内側壁板との間には前側内部通路７４から放出されたパチンコ球をパチンコ機外へ誘導する前球抜き用通路８１Ａが前払い出し球通路８０Ａに隣接して形成されている。
【００５４】
ベース体７０にはこのベース体７０の中央部付近および下部に重ね合わされてカウンタケース７３の下方に隣設された合成樹脂製の下誘導体８４がビスによって取外し可能に取付けられている。
【００５５】
下誘導体８４のベース板８４ａはベース体７０の前板７０ａの中央部付近および下部に全長にわたって添設され、下誘導体８４にはベース体７０の内壁７０ｂに全長にわたって突合わせ状に対置された内壁８４ｂと、隔壁７０ｃに全長にわたって突合わせ状に対置された隔壁８４ｃと、上外壁７０ｄに全長にわたって突合わせ状に対置された上外壁８４ｄと、下外壁７０ｅに全長にわたって突合わせ状に対置された下外壁８４ｅとが突出形成されている。
【００５６】
内壁８４ｂの中央部付近および下部と隔壁７０ｃとの間にはカウンタケース８４の後側内部通路７４から放出されたパチンコ球を払い出し球（貸し出し球および賞品球）として上球受皿６へ向けて誘導する後払い出し球通路８０Ｂが形成され、隔壁８４ｃとベース体７０の外側壁板との間、隔壁８４ｃと下外壁８４ｅとの間、下外壁８４ｅとベース体７０の内側壁板との間には後側内部通路７４から放出されたパチンコ球をパチンコ機外へ誘導する後球抜き用通路８１Ｂが後払い出し球通路８０Ａに隣接して形成されている。ベース体７０の前払い出し球通路８０Ａおよび球抜き用通路８１Ａと、下誘導体８４の後払い出し球通路８０Ｂおよび球抜き用通路８１Ｂとの間には仕切り板８３が挟み込まれている。
【００５７】
ベース体７０の前板７０ａの中央部付近には球抜き検出スイッチ８６が取付けられるとともに、前板７０ａの中央部付近に球抜き検出スイッチ８６に対向して回動可能に軸支された球抜き作動部材８７には上方へ突出されて球抜き検出スイッチ８６の触動片に接離する上片８７ａと、内方へ突出された内片８７ｂと、外方へ突出された外片８７ｃとが形成され、上片８７ａの後面には突片８７ｄが突設されている。
【００５８】
ベース体７０の前板７０ａの中央部付近に球抜き作動部材８７に対向して上下動操作可能に支持された操作片８８には球抜き作動部材８７側へ突出された突片８８ａが形成され、操作片８８を上動操作したときには球抜き作動部材８７が回動して球抜き検出スイッチ８６の触動片８６ａが球抜き作動部材８７の上片８７ａによって押圧され、球抜き検出スイッチ８６がＯＮとなる。
【００５９】
ベース体７０の中央部付近には球抜き検出スイッチ８６の下方に配設された規制片８９が球抜き作動部材８７に対向して内外方向への搖動可能に軸支され、規制片８９が外方へ搖動したときには球抜き作動部材８７の内片８７ｂが規制片８９に当接して球抜き作動部材８７の回動動作が阻止され、規制片８９が内方へ搖動したときには球抜き作動部材８７の回動動作が許容される。
【００６０】
ベース体７０の内壁７０ｂの上部および下誘導体８４の内壁８４ｂの上部と、ベース体７０の上外壁７０ｄおよび下誘導体８４の上外壁８４ｄとの間にはベース体７０の隔壁７０ｃの上端縁および下誘導体８４の隔壁８４ｃの上端縁の斜め上方に配設されてカウンタケース７３の両内部流路７４から放出されたパチンコ球を前後払い出し球通路８０Ａ，８０Ｂ若しくは前後球抜き用通路８１Ａ，８１Ｂに振り分ける振り分け部材９０が内外方向への搖動動作可能に軸支されている。
【００６１】
振り分け部材９０は前片９０ａと後片９０ｂとが共動可能に結合されて形成され、前片９０ａには球抜き作動部材８７の突片８７ｄが嵌挿されて球抜き作動部材８７と振り分け部材９０とを共同搖動動作可能に結合する結合部９０ｃが形成されている。
【００６２】
下誘導体８４にはスプリングで上方へ付勢された作動軸９１ａを有する球抜きソレノイド９１が振り分け部材９０に対向して取付けられ、作動軸９１ａの下端には繋止片９１ｂが固定されている。
【００６３】
球抜きソレノイド９１の繋止片９１ｂには上端が球抜き作動部材８７の内片８７ｂに繋止されて球抜きソレノイド９１の作動軸９１ａと球抜き作動部材８７とを連動可能に結合する伝動ワイヤ９２の下端が繋止されている。
【００６４】
球抜きソレノイド９１が消磁された状態では伝動ワイヤ９２は作動軸９１ａとともに上動位置に保持されて球抜き作動部材８７は上片８７ａが外方へ回動した状態で保持され、振り分け部材９０は外方へ搖動して前後球抜き用通路８１Ａ，８１Ｂの入口が遮断されかつ前後払い出し球通路８０Ａ，８０Ｂの入口が開放された状態で保持される。
【００６５】
球抜きソレノイド９１が励磁されると、伝動ワイヤ９２が作動軸９１ａとともに下動して球抜き作動部材８７の上片８７ａが内方へ回動し、球抜き検出スイッチ８６がＯＮになって払い出し制御用ソレノイド７７が励磁されるとともに、振り分け部材９０が内方へ振動し、前後払い出し球通路８０Ａ，８０Ｂの入口が遮断されかつ前後球抜き用通路８１Ａ，８１Ｂの入口が開放され、カウンタケース７３内から放出されたパチンコ球は前後球抜き用通路８１Ａ，８１Ｂへ導入される。
【００６６】
下誘導体８４のベース板８４ａの下端にはパチンコ機の電源を投入したときに起動される賞品球払い出しモータ１１５が前向き状に取付けられ、この賞品球払出しモータ１１５の出力軸１１５ａには１２０°の回転対称位置に配設された３つの球送り片１１６ａを有する球切りカム１１６がベース体７０の前板７ａの下端に開口されたセーフ球導入口１１８およびセーフ球送出口１１９に対向して嵌着されている。セーフ球導入口１１８は遊技盤２４の入賞口へ落入して遊技盤２４の後側から下方へ転落したセーフ球を誘導するためにセット枠５０の下横板５０ｄの下端に形成されたセーフ球誘導樋の先端に対置されている。
【００６７】
ベース体７０の前板７０ａの下端にはセーフ球送出口１１９の若干上方に配設された放出作動片１２０が回動可能に軸支され、この放出作動片１２０の下部には球切りカム１１６の若干前方でセーフ球導入口１１８の内方に隣設された係合部１２０ａが突出形成されるとともに、放出作動片１２０の内端部に突設された内突片１２０ｂには上端が規制片８９に繋止された伝動ワイヤ１２１の下端が連動可能に繋止され、さらに、放出作動片１２０の上端には上突片１２０ｃが形成されている。
【００６８】
ベース体７０の前板７０ａの下部後面に垂直状に組付けられたスイッチ基板１２２には入賞時にパルスモータ７５および回転体７６を回転させる信号および払い出し制御ソレノイド７７を作動させる信号を出力する２つの賞品球払出し検出スイッチ１２３が取付けられている。
【００６９】
ベース体７０の前板７０ａの下部に両賞品球払出し検出スイッチ１２３に対向して垂下状態で内外方向への搖動可能に軸支されてスプリング１２５で賞品球払出し検出スイッチ１２３側へ付勢されたスイッチ作動レバー１２４の中央部付近には両賞品球払出し検出スイッチ１２３の各触動片１２３ａに弾接された押動部１２４ａが突出形成されるとともに、スイッチ作動レバー１２４の下端には内端部が放出作動片１２０の上突片１２０ｃに繋止された連結ロッド１２６の外端部が連動可能に繋止されている。
【００７０】
パチンコ球が遊技盤２４の入賞口へ入球してセーフ球導入口１１８を通過すると、このセーフ球が定常回転中の球切りカム１１６の球送り片１１６ａで受止められるとともに、放出作動片１２０の係合部１２０ａと係合し、放出作動片１２０が球切りカム１１６の球送り片１１６ａとともに円弧移動するセーフ球によって球切りカム１１６の回転方向と反対方向へ回動する。放出作動片１２０が回動すると、伝動ワイヤ１２１が上動し、規制片８９が搖動して球抜き作動部材８７の回動が禁止されるとともに、スイッチ作動レバ１２４が外方へ搖動し、賞品球払出し検出スイッチ１２３がＯＮとなって払出し信号を発信し、パルスモータ７５および払い出し制御ソレノイド７７に作動信号が送られる。球切りカム１１６の球送り片１１６ａで受止められて放出作動片１２０とともに円弧移動したセーフ球が球切りカム１１６および放出作動片１２０から解放されてセーフ球送出口１１９を通じて送出されると、放出作動片１２０が解放されてスプリング１２５の弾発力で元の姿勢に復帰回動し、伝動ワイヤ１２１が下動して規制片８９が復帰搖動し、賞品球払出し検出スイッチ１２３がＯＦＦとなって払出し動作の検出を中止する。
【００７１】
下誘導体８４にはベース板８４ａの後側に重ね合わされた方形皿形状の合成樹脂製の基板受けケース１０３がビスによって取外し可能に取付けられ、この基板受けケース１０３の周壁部の後端縁には段部１０３ａが全周にわたって形成されている。
【００７２】
基板受けケース１０３にはこの基板受けケース１０３の段部１０３ａに嵌め込まれた状態で下誘導体８４の後側に重ね合わされてパチンコ球の払い出し、球抜き、入賞等の各種情報を記憶、演算して処理するＣＰＵ，ＲＡＭ，ＲＯＭが組込まれた制御回路基板９３がビスによって取外し可能に取付けられている。
【００７３】
制御回路基板９３には図２２に示すように払い出し球数を演算する払い出し球数演算部と、球貸しスイッチ１０７の操作によって貸し出した貸し球数を演算する球貸し数演算部と、セーフ球カウンタ９８Ａ，９８Ｂ，９８Ｃが接続されてセーフ球の種別を検出するセーフ球検出センサ９６Ａ，９６Ｂ，９６Ｃの検出信号に基づいてセーフ球数、賞品球数を演算する第１〜第３賞品球演算部とが組込まれている。
【００７４】
カードリーダ１１０のカード挿入口１１０ａにカードを挿入して球貸しスイッチ１０７を操作すると、パルスモータ７５が起動されかつ払い出し制御用ソレノイド７７が作動して回転体７６が回転し、所望個数の使用球がカウンタケース７３内から放出されて上球受皿６上へ払い出され、球貸しスイッチ１０７の繰り返し操作により更に所望個数の使用球が上球受皿６上へ供給される。また、セーフ球検出センサ９６Ａ，９６Ｂ，９６Ｃが入賞の発生を検出すると、パルスモータ７５が起動されかつ払い出し制御用ソレノイド７７が作動して相当数の賞品球がカウンタケース７３内から放出されて上球受皿６上へ払い出される。このとき、セーフ球検出センサ９６Ａ，９６Ｂ，９６Ｃおよびセーフ球カウンタ９８Ａ，９８Ｂ，９８Ｃによってセーフ球の種別毎に検出されてカウントされた数値に対応して所定個数の賞品球がカウンタケース７３から払い出される（例えばセーフ球検出センサ９６Ａに対応して１３個、セーフ球検出センサ９６Ｂに対応して７個の賞品球が払い出される）。
【００７５】
制御回路基板９３には払い出し球処理ユニットＵ内に組込まれたパルスモータ７５と、払い出し制御ソレノイド７７と、両球切れ確認センサ７８と、球計数センサ７９と、球抜き検出スイッチ８６と、球抜きソレノイド９１と、賞品球払い出しモータ１１５と、両賞品球払い出し検出スイッチ１２３とがそれぞれコネクタを介して解離可能に接続されるとともに、遊技盤２４に配設された各セーフ球検出センサ９６Ａ，９６Ｂ，９６Ｃと、払い出し種別表示ＬＥＤ１５２と、各セーフ球検出センサ９６Ａ，９６Ｂ，９６Ｃによって検出されたセーフ球数をカウンタとするセーフ球カウンタ９８Ａ，９８Ｂ，９８Ｃと、賞品球切れ検出スイッチ５９と、補給切れ検出スイッチ９９とがそれぞれコネクタを介して接続されている。
【００７６】
制御回路基板９３の後面の内端には発射装置制御基板２１に接続されたリード線束、防犯基板に接続されたリード線束、入賞装置用制御回路に接続されたリード線束が接続されるユニット外配線用コネクタ９５Ａ，９５Ｂが固定されている。
【００７７】
基板受けケース１０３と制御回路基板９３との間にはパチンコ機の電源部（トランス、コンデンサ）、払い出し球処理ユニットＵの払い出し制御用ソレノイド７７、球抜きソレノイド９１、賞品球払い出しモータ１１５、帯電したパチンコ球等によって発生する電気的なノイズを遮断して制御回路基板９３をノイズから保護する２枚の金属製のシールド板９４，９４が挟み込まれている。このシールド板９４はその上端縁および両側縁が制御回路基板９３の上端縁および両側縁に対接されている外は制御回路基板９３の回路面から若干離れた状態で制御回路基板９３とともに基板受けケース１０３に取付けられている。
【００７８】
ベース体７０には半透明の合成樹脂材によって縦長で前方開放のほぼ方形箱形状に成形されてベース体７０の長さおよび横幅と等しい長さおよび横幅を有し、ベース体７０をその全長にわたって覆蓋する蓋体１００が向い合わせ状で分離可能に結合されている。蓋体１００の四周に形成された壁板１００ｂはベース体７０の各壁板にそれぞれ突合わせ状に対置され、蓋体１００はこの蓋体１００およびベース体７０に貫挿された複数個のビスによってベース体７０とともにセット枠５０の縦枠板５０ｂに取外し可能に取付けられている。蓋体１００には制御回路基板９３付近を覆蓋する凸部１００ａが中央部付近から下部にわたって突出形成されている。
【００７９】
上誘導体７１、カウンタケース７３、下誘導体８４、ケース受けケース１０３、制御回路基板９３、両シールド板９４等はベース体７０と蓋体１００とによって形成されたケース内に封入されている。
【００８０】
蓋体１００には発射装置制御基板２１、防犯基板１４６、入賞装置用制御回路に接続されたリード線束の接続端子が挿通される上下のコネクタ挿通窓１０４，１０４が制御回路基板９３のユニット外配線用コネクタ９５Ａ，９５Ｂに対向して開口され、蓋体１００をベース体７０に結合した状態でリード線束の接続端子をコネクタ挿通窓１０４を通じて蓋体１００内へ差込んでユニット外配線用コネクタ９５Ａ，９５Ｂに接続することができる。
【００８１】
セット枠５０の下横板５０ｄの後面にビス着された球送りケース１２７の前面にはベース体７０の内側壁板７０ｆの下部に開口された球出口７０ｉから流出した払い出し球を内下方へ誘導して上ベル１４４に衝突させる上誘導樋１２８と、この上誘導樋１２８の内端から転落した払い出し球を外下方へ誘導する中誘導樋１２９と、基枠２２の上皿口４２に対向して前方へ水平状に延出されて中誘導樋１２９の外端から転落した払い出し球を受止める受止め板１３０と、この受止め片１３０上からオーバーフローした払い出し球を内下方へ誘導して下ベル１４５に衝突させてから球受箱４９内へ導入する下誘導樋１３１とが突出形成されている。
【００８２】
球送りケース１２７の下端部の前側で下誘導樋１３１の下方には下球受皿７上に貯留球が充満したときにパチンコ球の払出しを禁止する信号をコントロールユニット４８に伝送する球払出し禁止スイッチ（満タン検出スイッチ）１３５と、この球払出し禁止スイッチ１３の内方に内外方向への搖動可能に軸支されたスイッチ押え１３６とが取付けられている。
【００８３】
基枠２２の下枠板２２ｂの裏面の反操作ハンドル８側端部には制御回路基板９３、中継基板１４７および球払出し禁止スイッチ１３５およびスピーカ４６にリード線を介して接続された防犯基板１４６が取着されている。
【００８４】
下球受皿７上にパチンコ球が充満すると、球払出し禁止スイッチ１３５がＯＮとなって発射モータ１４および賞品球払出しモータ１１５がそれぞれ停止する。さらに、前記タンクレール５６上の貯留球が不足すると、前記補給切れ検出スイッチ９９がＯＮとなって発射モータ１４および賞品球払出しモータ１１５がそれぞれ停止するとともに、セット枠５０の上端にランプ基板１４９を介して取付けられた球払い出し兼球切れ表示灯１３３が点灯する。
【００８５】
セット枠５０の上横板５０ｃの回動支点側端部には払い出し球処理ユニットＵの上方に配設されてセット枠５０の内部配線と外部配線とを中継する中継器１３７が球払出し兼球切れ表示灯１３３に対向して取付けられている。中継器１３７の端子ボックス１４０内には外部端子基板１３８が装入されるとともに、端子ボックス１４０の上端部、下端部、内端部には外部端子基板１３８の後面に取付けられた複数個のコネクタ１３９を介して外部端子基板１３８のプリント回路に接続されたリード線束を挿通保持するために挿通口の幅が狭縮されたリード線束保持部１４０ａ〜１４０ａがそれぞれ形成されている。
【００８６】
外部端子基板１３８の後面にはこの外部端子基板１３８のプリント回路に接続されて横方向へ配列された上下４対の外部接続端子１４２が固着されるとともに、端子ボックス１４０の後壁板１４０ｂには各外部接続端子１４２にそれぞれ接続される外部リード線１３４の裸線部１３４ａを挿通するための４対のリード線挿通口１４１が各外部接続端子１４２にそれぞれ対向して開設され、さらに、後壁板１４０ｂには外部リード線１３４の裸線部１３４ａを外部接続端子１４２に解離可能に圧接させるためにそれぞれ外部接続端子１４２側へばねで付勢されて上方若しくは下方へ指で押動操作されるつまみ１４３が各外部接続端子１４２にそれぞれ対向して貫挿され、各つまみ１４３は各対毎に色分けされている。４対の外部接続端子１４２には当り情報出力用の１対の外部リード線と、発射装置制御入力用の１対の外部リード線と、ガラス扉枠開放情報出力用の１対の外部リード線と、球切れ情報出力用の１対の外部リード線とがそれぞれ接続される。
【００８７】
なお、図２３に示すように、上球受皿６には返却球ソレノイド１５７によって開閉されて返却球を回収する返却球回収通路１５８を設け、制御回路基板９３には返却スイッチ１０８が接続されて返却球数を演算する返却球数演算部を接続し、返却スイッチ１０８の操作によって上球受皿６上に貯留されたパチンコ球が返却球回収通路１５８を通じて回収され、返却球センサ１５６が出力するパルス数によって回収球数がカウントされ、回収球数が球貸し単位金額に換算され、かつカードの残金に加算されてカードリーダ１１０によってカードに記録されるようにしてもよい。
【００８８】
この場合には再換算可能な端数のパチンコ球数（例えば１００円／２５個の場合に３０個が回収されたとすると５個分）は再び上球受皿６上へ返却される。
【００８９】
また、カードに記録された金額データは減算される場合の外、上球受皿６上に一定個数以上（パチンコ球購入単位以上）のパチンコ球が貯留された場合には返却スイッチ１０８の操作によって加算されてカードに書き込まれる。
【００９０】
なお、購入金額単位に換算可能な端数は、換算され加算された金額データとともに端数データとしてカードリーダ１１０によってカードに記録される。
【００９１】
さらに、他の実施態様として端数データが書き込まれたカードを使用して再度球貸しをする場合に、所定の球貸し金額に対応するパチンコ球数に加え、端数分のパチンコ球が上球受皿６上へ供給されるようにしてもよい。
【００９２】
なお、図２４に示すようにパチンコ機本体部の側方に隣設したカードユニット部１０２の前面にカード挿入口１１０ａ、球貸しスイッチ１０７、返却スイッチ１０８、球貸し可表示ＬＥＤ１０９、カード情報表示ＬＥＤ１１２を配設するようにしてもよい。
【００９３】
続いて、上記した構成をもつ実施の形態にかかる作用と効果を説明する。本例では縦長状に形成されて本体部Ｈのセット枠５０に装着される合成樹脂製のベース体７０には、回転体７６の回転動作によって規定個数のパチンコ球を払い出す球払い出し機構が収容されたカウンタケース７３と、球タンク５５内から送り出されたパチンコ球を誘導してカウンタケース７３内へ送り込む上誘導体７１と、カウンタケース７３内から放出されたパチンコ球を払い出し球として上球受皿６に向けて誘導する払い出し球通路８０Ｂおよびカウンタケース７３内から放出されたパチンコ球をパチンコ機外へ誘導する球抜き用通路８１Ｂが隣接して形成され、カウンタケース７３内から放出されたパチンコ球を払い出し球通路８０Ｂ若しくは球抜き用通路８１Ｂへ振り分ける振り分け部材９０が支持された下誘導体８４と、この下誘導体８４に重ね合わされた球払い出し制御用の制御回路基板９３とをそれぞれ取外し可能に組付けるとともに、ベース体７０にはこのベース体７０をその全長にわたって覆蓋する合成樹脂製の蓋体１００を分離可能に結合してある。
【００９４】
このため、パチンコ球を払い出す機構、パチンコ球を球払い出し機構へ誘導する部材、球払い出し機構から放出されたパチンコ球を球受皿および機外へ誘導する部材や振り分ける振り分け部材、球払い出し制御用の制御回路基板等を一括して本体枠に装着することができ、パチンコ球の払い出しに関連する機構および部材の組付け、修理、点検、保守等の各作業を簡便化および能率化することができる。
【図面の簡単な説明】
【００９５】
【図１】本発明の実施の形態を示すもので、払い出し球処理ユニットの分解斜視図である。
【図２】パチンコ機の正面図である。
【図３】本体枠の背面図である。
【図４】発射装置付近の背面図である。
【図５】発射レール付近の分解斜視図である。
【図６】図２のＸ１−Ｘ１線拡大断面図である。
【図７】図３のＸ２−Ｘ２線拡大断面図である。
【図８】球タンク付近の背面図である。
【図９】払い出し球処理ユニットのベース体の背面図である。
【図１０】カセットケースおよび内部機構の分解斜視図である。
【図１１】下誘導体の正面図である。
【図１２】振り分け片駆動機構の分解斜視図である。
【図１３】制御回路基板付近の分解縦断面図である。
【図１４】賞品球払い出しモータ付近の背面図である。
【図１５】球払い出し制御回路の配線図である。
【図１６】中継器付近の背面図である。
【図１７】図１６のＸ３−Ｘ３線断面図である。
【図１８】払い出し球処理ユニットの下部付近の背面図である。
【図１９】図２のＸ４−Ｘ４線拡大断面図である。
【図２０】パチンコ機の電気配線図である。
【図２１】カードユニット中継基板およびカード情報処理基板の結線図である。
【図２２】球払い出し系統図である。
【図２３】他の球払い出し系統図である。
【図２４】パチンコ機の他例を示す正面図である。
【符号の説明】
【００９６】
６      上球受皿
５５    球タンク
７０    ベース体
７１    上誘導体
７３    カウンタケース
７６    回転体
８０Ｂ  払い出し球通路
８１Ｂ  球抜き用通路
８４    下誘導体
９０    振り分け部材
９３    制御回路基板
１００  蓋体
Ｕ      払い出し球処理ユニット